(57)【要約】      （修正有）【課題】施工管理者と現場監督とがお互いの品質管理に関する検査の結果を携帯端末により入力でき、お互いの検査結果を携帯端末により確認できる携帯端末を使用した品質管理システムを提供する。【解決手段】携帯端末を使用した品質管理システム１は、施工管理者用事務所端末２と通信ネットワーク５を介して接続される施工管理者用携帯端末６と、現場監督用事務所端末３と、現場監督が使用し、前記現場監督用事務所端末と通信ネットワーク５を介して接続される現場監督用携帯端末７と、施工管理者用事務所端末６及び現場監督用事務所端末３と通信ネットワーク５を介して接続されたサーバ４とからなる携帯端末を使用した品質管理システムであって、施工管理者用携帯端末６及び現場監督用携帯端末７は、検査データに基づいて施工管理者及び現場監督による検査結果を入力し、サーバ４により統合された検査データを表示するものとして機能する。【選択図】図１
2007087067.tif 000002
【特許請求の範囲】
【請求項１】
施工管理者の事務所に設置された施工管理者用事務所端末と、前記施工管理者が使用し、前記施工管理者用事務所端末と通信ネットワークを介して接続される施工管理者用携帯端末と、前記現場監督の事務所に設置された現場監督用事務所端末と、前記現場監督が使用し、前記現場監督用事務所端末と通信ネットワークを介して接続される現場監督用携帯端末と、前記施工管理者用事務所端末及び現場監督用事務所端末と通信ネットワークを介して接続されたサーバとからなる携帯端末を使用した品質管理システムであって、
前記施工管理者用事務所端末は、前記サーバに記憶された検査対象の基本情報に基づいて検査対象に対する検査データを前記サーバ上に作成する手段と、該検査データを前記サーバから前記施工管理者用携帯端末に前記通信ネットワークを介してダウンロードする手段と、前記検査データを前記施工管理者用携帯端末から前記サーバに前記通信ネットワークを介してアップロードする手段と、を備え、
前記施工管理者用携帯端末は、ダウンロードされた前記検査データを記憶する施管検査データ記憶手段と、前記検査データを表示する手段と、前記検査データに基づいて施工管理者による検査結果を入力する手段と、入力された検査結果を前記施管検査データ記憶手段に記憶された検査データに保存する手段と、を備え、
前記現場監督用事務所端末は、前記サーバに記憶された検査対象の基本情報に基づいて検査対象に対する検査データを前記サーバ上に作成する手段と、前記検査データを前記サーバから前記現場監督用携帯端末に前記通信ネットワークを介してダウンロードする手段と、前記検査データを前記現場監督用携帯端末から前記サーバに前記通信ネットワークを介してアップロードする手段と、を備え、
前記現場監督用携帯端末は、ダウンロードされた前記検査データを記憶する現監検査データ記憶手段と、前記検査データを表示する手段と、前記検査データに基づいて現場監督による検査結果を入力する手段と、入力された検査結果を前記現監検査データ記憶手段に記憶された検査データに保存する手段と、を備え、
前記サーバは、予め検査対象の基本情報を記憶する手段と、作成された前記検査データを記憶する検査データ記憶手段と、該検査データ記憶手段により記憶された検査データとアップロードされた前記検査データとを統合して記憶する手段と、を備えることを特徴とする携帯端末を使用した品質管理システム。
【請求項２】
前記施工管理者用携帯端末は、前記検査結果が不合格である場合に、是正指示を入力する手段と、該是正指示を前記施管検査データ記憶手段に記憶された検査データに保存する手段と、を備え、
前記現場監督用携帯端末は、前記検査結果が不合格である場合に、是正指示を入力する手段と、該是正指示を前記現監検査データ記憶手段に記憶された検査データに保存する手段と、を備えることを特徴とする請求項１記載の携帯端末を使用した品質管理システム。
【請求項３】
前記施工管理者用携帯端末は、前記是正指示を入力する際に、主語、述語、指示に対する複数の単語を表示してそれらの単語の中からそれぞれ１つの単語を入力する手段と、入力された主語、述語、指示の単語から是正文言を作成する手段と、作成された是正文言を前記施管検査データ記憶手段に記憶された検査データに保存する手段と、を備え、
前記現場監督用携帯端末は、前記是正指示を入力する際に、主語、述語、指示に対する複数の単語を表示してそれらの単語の中からそれぞれ１つの単語を入力する手段と、入力された主語、述語、指示の単語から是正文言を作成する手段と、作成された是正文言を前記現監検査データ記憶手段に記憶された検査データに保存する手段と、を備えることを特徴とする請求項２記載の携帯端末を使用した品質管理システム。
【請求項４】
前記サーバは、図面情報を前記検査対象の基本情報と関連付けて記憶する手段を備え、
前記施工管理者用事務所端末は、前記図面情報を加えて前記検査データを前記サーバ上に作成する手段と、を備え、
前記施工管理者用携帯端末は、ダウンロードされた前記検査データに含まれる図面情報を表示する手段と、表示された図面情報に是正位置を入力する手段と、入力された是正位置を前記施管検査データ記憶手段に記憶された検査データに保存する手段と、を備え、
前記現場監督用事務所端末は、前記図面情報を加えて前記検査データを前記サーバ上に作成する手段と、を備え、
前記現場監督用携帯端末は、ダウンロードされた前記検査データに含まれる図面情報を表示する手段と、表示された図面情報に是正位置を入力する手段と、入力された是正位置を前記現監検査データ記憶手段に記憶された検査データに保存する手段と、を備えることを特徴とする請求項１乃至３記載の携帯端末を使用した品質管理システム。
【請求項５】
前記施工管理者用事務所端末及び現場監督用事務所端末は、検査項目を前記検査データに追加する手段を備えることを特徴とする請求項１乃至４のいずれかに記載の携帯端末を使用した品質管理システム。
【請求項６】
前記サーバは、検査マニュアルを記憶する手段を備え、
前記施工管理者用事務所端末は、前記検査マニュアルを前記サーバから前記施工管理者用携帯端末に前記通信ネットワークを介してダウンロードする手段を備え、
前記施工管理者用携帯端末は、ダウンロードされた前記検査マニュアルを表示する手段を備え、
前記現場監督用事務所端末は、前記検査マニュアルを前記サーバから前記現場監督用携帯端末に前記通信ネットワークを介してダウンロードする手段を備え、
前記現場監督用携帯端末は、ダウンロードされた前記検査マニュアルを表示する手段を備えることを特徴とする請求項１乃至５のいずれかに記載の携帯端末を使用した品質管理システム。
【発明の詳細な説明】
【技術分野】
【０００１】
本発明は、施行現場において施工管理者と現場監督とがお互いの検査内容を確認できる携帯端末を使用した品質管理システムに関する。
【背景技術】
【０００２】
住宅等の建築施工現場においては、一般に、施工管理者と現場監督とにより施工の品質管理及び工程管理を行っている。品質管理においては、施工管理者は、検査チェック表を基に自主検査を行うとともに、施工したものの精度を測定し、その数値が許容範囲内にあるか否かを確認する精度検査を行う。一方、現場監督は、検査チェック表を基に重点工程検査を行う。
【０００３】
施工管理者及び現場監督は、上記の検査結果を紙ベースの所定のチェック表に記入し、現場でチェックした内容を事務所に戻ってから清書して提出書類や指示書類としており、さらに、検査結果を電子データとして保存するために業務管理用のシステムに入力しているため、作業に手間がかかるとともに煩雑であった。
【０００４】
そこで、携帯端末を使用した品質管理システムがある（例えば、特許文献１参照）。このシステムによれば、施工現場において検査場所の検査部位に対応する検査項目を通信ネットワークを介して携帯端末で受信し、検査結果を携帯端末より通信ネットワークを介して施工会社の端末や現場事務所、監理会社等の端末に送信するようにしており、チェックシートを検査場所まで持参したり、検査結果を別途書類に転記したりシステムに入力する必要がない。
【特許文献１】特開２００２−４５８０号公報
【発明の開示】
【発明が解決しようとする課題】
【０００５】
しかしながら、特許文献１のシステムでは、品質管理に関する施工管理者の検査項目に対する入力と現場監督の検査項目に対する入力を携帯端末によりそれぞれ別に受け付けるものではないため、入力された検査結果が施工管理者により入力されたものか現場監督により入力されたものなのか分からず、お互いの検査内容を混同することが懸念された。
【０００６】
本発明は、上記の課題に鑑みてなされたものであり、施行現場において施工管理者と現場監督とがそれぞれお互いの品質管理に関する検査の結果を携帯端末により入力できるとともに、お互いの検査結果を携帯端末により確認できる携帯端末を使用した品質管理システムを提供することを目的とする。
【課題を解決するための手段】
【０００７】
上記目的を達成するために、請求項１記載の携帯端末を使用した品質管理システムは、施工管理者の事務所に設置された施工管理者用事務所端末と、前記施工管理者が使用し、前記施工管理者用事務所端末と通信ネットワークを介して接続される施工管理者用携帯端末と、前記現場監督の事務所に設置された現場監督用事務所端末と、前記現場監督が使用し、前記現場監督用事務所端末と通信ネットワークを介して接続される現場監督用携帯端末と、前記施工管理者用事務所端末及び現場監督用事務所端末と通信ネットワークを介して接続されたサーバとからなる携帯端末を使用した品質管理システムであって、前記施工管理者用事務所端末は、前記サーバに記憶された検査対象の基本情報に基づいて検査対象に対する検査データを前記サーバ上に作成する手段と、該検査データを前記サーバから前記施工管理者用携帯端末に前記通信ネットワークを介してダウンロードする手段と、前記検査データを前記施工管理者用携帯端末から前記サーバに前記通信ネットワークを介してアップロードする手段と、を備え、前記施工管理者用携帯端末は、ダウンロードされた前記検査データを記憶する施管検査データ記憶手段と、前記検査データを表示する手段と、前記検査データに基づいて施工管理者による検査結果を入力する手段と、入力された検査結果を前記施管検査データ記憶手段に記憶された検査データに保存する手段と、を備え、前記現場監督用事務所端末は、前記サーバに記憶された検査対象の基本情報に基づいて検査対象に対する検査データを前記サーバ上に作成する手段と、前記検査データを前記サーバから前記現場監督用携帯端末に前記通信ネットワークを介してダウンロードする手段と、前記検査データを前記現場監督用携帯端末から前記サーバに前記通信ネットワークを介してアップロードする手段と、を備え、前記現場監督用携帯端末は、ダウンロードされた前記検査データを記憶する現監検査データ記憶手段と、前記検査データを表示する手段と、前記検査データに基づいて現場監督による検査結果を入力する手段と、入力された検査結果を前記現監検査データ記憶手段に記憶された検査データに保存する手段と、を備え、前記サーバは、予め検査対象の基本情報を記憶する手段と、作成された前記検査データを記憶する検査データ記憶手段と、該検査データ記憶手段により記憶された検査データとアップロードされた前記検査データとを統合して記憶する手段と、を備えることを特徴としている。
なお、施工管理者とは、施工管理者に代わって施工管理者が担当する検査業務を行う施工者や検査員を含み、同様に、現場監督とは、現場監督に代わって現場監督が担当する検査業務を行う施工者や検査員を含む。
【０００８】
請求項２記載の携帯端末を使用した品質管理システムは、請求項１記載の携帯端末を使用した品質管理システムにおいて、前記施工管理者用携帯端末は、前記検査結果が不合格である場合に、是正指示を入力する手段と、該是正指示を前記施管検査データ記憶手段に記憶された検査データに保存する手段と、を備え、前記現場監督用携帯端末は、前記検査結果が不合格である場合に、是正指示を入力する手段と、該是正指示を前記現監検査データ記憶手段に記憶された検査データに保存する手段と、を備えることを特徴としている。
【０００９】
請求項３記載の携帯端末を使用した品質管理システムは、請求項２記載の携帯端末を使用した品質管理システムにおいて、前記施工管理者用携帯端末は、前記是正指示を入力する際に、主語、述語、指示に対する複数の単語を表示してそれらの単語の中からそれぞれ１つの単語を入力する手段と、入力された主語、述語、指示の単語から是正文言を作成する手段と、作成された是正文言を前記施管検査データ記憶手段に記憶された検査データに保存する手段と、を備え、前記現場監督用携帯端末は、前記是正指示を入力する際に、主語、述語、指示に対する複数の単語を表示してそれらの単語の中からそれぞれ１つの単語を入力する手段と、入力された主語、述語、指示の単語から是正文言を作成する手段と、作成された是正文言を前記現監検査データ記憶手段に記憶された検査データに保存する手段と、を備えることを特徴としている。
【００１０】
請求項４記載の携帯端末を使用した品質管理システムは、請求項１乃至３のいずれかに記載の携帯端末を使用した品質管理システムにおいて、前記サーバは、図面情報を前記検査対象の基本情報と関連付けて記憶する手段を備え、前記施工管理者用事務所端末は、前記図面情報を加えて前記検査データを前記サーバ上に作成する手段と、を備え、前記施工管理者用携帯端末は、ダウンロードされた前記検査データに含まれる図面情報を表示する手段と、表示された図面情報に是正位置を入力する手段と、入力された是正位置を前記施管検査データ記憶手段に記憶された検査データに保存する手段と、を備え、前記現場監督用事務所端末は、前記図面情報を加えて前記検査データを前記サーバ上に作成する手段と、を備え、前記現場監督用携帯端末は、ダウンロードされた前記検査データに含まれる図面情報を表示する手段と、表示された図面情報に是正位置を入力する手段と、入力された是正位置を前記現監検査データ記憶手段に記憶された検査データに保存する手段と、を備えることを特徴としている。
【００１１】
請求項５記載の携帯端末を使用した品質管理システムは、請求項１乃至４のいずれかに記載の携帯端末を使用した品質管理システムにおいて、前記施工管理者用事務所端末及び現場監督用事務所端末は、検査項目を前記検査データに追加する手段を備えることを特徴としている。
【００１２】
請求項６記載の携帯端末を使用した品質管理システムは、請求項１乃至５のいずれかに記載の携帯端末を使用した品質管理システムにおいて、前記サーバは、検査マニュアルを記憶する手段を備え、前記施工管理者用事務所端末は、前記検査マニュアルを前記サーバから前記施工管理者用携帯端末に前記通信ネットワークを介してダウンロードする手段を備え、前記施工管理者用携帯端末は、ダウンロードされた前記検査マニュアルを表示する手段を備え、前記現場監督用事務所端末は、前記検査マニュアルを前記サーバから前記現場監督用携帯端末に前記通信ネットワークを介してダウンロードする手段を備え、前記現場監督用携帯端末は、ダウンロードされた前記検査マニュアルを表示する手段を備えることを特徴としている。
【発明の効果】
【００１３】
本発明の請求項１の携帯端末を使用した品質管理システムによれば、施工管理者用事務所端末は、前記サーバに記憶された検査対象の基本情報に基づいて検査対象に対する検査データを前記サーバ上に作成し、該検査データを前記サーバから前記施工管理者用携帯端末に前記通信ネットワークを介してダウンロードし、前記検査データを前記施工管理者用携帯端末から前記サーバに前記通信ネットワークを介してアップロードするものとして機能し、施工管理者用携帯端末は、ダウンロードされた前記検査データを記憶し、前記検査データを表示し、前記検査データに基づいて施工管理者による検査結果を入力し、入力された検査結果を記憶された検査データに保存するものとして機能し、現場監督用事務所端末は、前記サーバに記憶された検査対象の基本情報に基づいて検査対象に対する検査データを前記サーバ上に作成し、前記検査データを前記サーバから前記現場監督用携帯端末に前記通信ネットワークを介してダウンロードし、前記検査データを前記現場監督用携帯端末から前記サーバに前記通信ネットワークを介してアップロードするものとして機能し、現場監督用携帯端末は、ダウンロードされた前記検査データを記憶し、前記検査データを表示し、検査データに基づいて現場監督による検査結果を入力し、入力された検査結果を前記現監検査データ記憶手段に記憶された検査データに保存するものとして機能し、サーバは、予め検査対象の基本情報を記憶し、記憶された検査データとアップロードされた前記検査データを統合して記憶するものとして機能するため、施行現場において施工管理者と現場監督とがそれぞれお互いの品質管理に関する検査の結果を携帯端末により入力できるとともに、お互いの検査結果を携帯端末により確認できる。
【００１４】
請求項２の携帯端末を使用した品質管理システムによれば、請求項１記載の携帯端末を使用した品質管理システムの効果に加えて、施工管理者用携帯端末は、前記検査結果が不合格である場合に、是正指示を入力し、該是正指示を前記施管検査データ記憶手段に記憶された検査データに保存するものとして機能し、現場監督用携帯端末は、前記検査結果が不合格である場合に、是正指示を入力し、該是正指示を記憶された検査データに保存するものとして機能するため、施工管理者及び現場監督は、不合格を是正するための指示を現場で入力でき、検査データに保存できる。
【００１５】
請求項３の携帯端末を使用した品質管理システムによれば、請求項２記載の携帯端末を使用した品質管理システムの効果に加えて、施工管理者用携帯端末は、前記是正指示を入力する際に、主語、述語、指示に対する複数の単語を表示してそれらの単語の中からそれぞれ１つの単語を入力し、入力された主語、述語、指示の単語から是正文言を作成し、作成された是正文言を記憶された検査データに保存するものとして機能し、現場監督用携帯端末は、前記是正指示を入力する際に、主語、述語、指示に対する複数の単語を表示してそれらの単語の中からそれぞれ１つの単語を入力し、入力された主語、述語、指示の単語から是正文言を作成し、作成された是正文言を前記現監検査データ記憶手段に記憶された検査データに保存するものとして機能するため、施工管理者及び現場監督は、是正文言を容易に作成して検査データに保存できる。
【００１６】
請求項４の携帯端末を使用した品質管理システムによれば、請求項１乃至３のいずれかに記載の携帯端末を使用した品質管理システムの効果に加えて、サーバは、図面情報を前記検査対象の基本情報と関連付けて記憶するものとして機能し、施工管理者用事務所端末は、前記図面情報を加えて前記検査データを前記サーバ上に作成するものとして機能し、施工管理者用携帯端末は、ダウンロードされた前記検査データに含まれる図面情報を表示し、表示された図面情報に是正位置を入力し、入力された是正位置を記憶された検査データに保存するものとして機能し、現場監督用事務所端末は、前記図面情報を加えて前記検査データを前記サーバ上に作成するものとして機能し、現場監督用携帯端末は、ダウンロードされた前記検査データに含まれる図面情報を表示し、表示された図面情報に是正位置を入力し、入力された是正位置を記憶された検査データに保存するものとして機能するため、施工管理者及び現場監督は、施行現場において検査対象の図面を確認して、その場で是正位置を入力できる。
【００１７】
請求項５の携帯端末を使用した品質管理システムによれば、請求項１乃至４のいずれかに記載の携帯端末を使用した品質管理システムの効果に加えて、施工管理者用事務所端末及び現場監督用事務所端末は、検査項目を前記検査データに追加するものとして機能するため、施工管理者及び現場監督は、検査データに標準として含まれる検査項目に加えて、検査対象毎に必要な検査項目を追加できる。
【００１８】
請求項６の携帯端末を使用した品質管理システムによれば、請求項１乃至５のいずれかに記載の携帯端末を使用した品質管理システムの効果に加えて、サーバは、検査マニュアルを記憶するものとして機能し、施工管理者用事務所端末は、前記検査マニュアルを前記サーバから前記施工管理者用携帯端末に前記通信ネットワークを介してダウンロードするものとして機能し、施工管理者用携帯端末は、ダウンロードされた前記検査マニュアルを表示するものとして機能し、現場監督用事務所端末は、前記検査マニュアルを前記サーバから前記現場監督用携帯端末に前記通信ネットワークを介してダウンロードするものとして機能し、現場監督用携帯端末は、ダウンロードされた前記検査マニュアルを表示するものとして機能するため、経験の浅い施工管理者や現場監督であっても、施工管理者用携帯端末や現場監督用携帯端末に表示された検査マニュアルを参照して検査を行うことができ、経験不足を補うことができる。
【発明を実施するための最良の形態】
【００１９】
以下、本発明の実施の形態に係る携帯端末を使用した品質管理システムについて図面に基づいて説明する。
図１は、本発明の実施の形態に係る携帯端末を使用した品質管理システム１の概略構成を示すものである。本携帯端末を使用した品質管理システム１は、図示するように、施工管理者の事務所に設置された施工管理者用事務所端末２及び現場監督の事務所に設置された現場監督用事務所端末３が、サーバ４とイントラネット等のＬＡＮ（Local Area Network）である通信ネットワーク５を介して通信可能に接続されており、施工管理者が使用する施工管理者用携帯端末６が施工管理者用事務所端末２とケーブル等の通信ネットワーク５を介して通信可能に接続可能であり、現場監督が使用する現場監督用携帯端末７が現場監督用事務所端末３とケーブル等の通信ネットワーク５を介して通信可能に接続可能である。
【００２０】
施工管理者用事務所端末２は、施工管理者の事務所に設置された汎用のパーソナルコンピュータであって、制御部（ＣＰＵ：Central Processing Unit）やＲＡＭ（Random Access Memory）、ＲＯＭ（Read Only Memory）、ＨＤ（Hard Disk）、モニタ等の表示部、キーボードやマウス等の入力部等を有しており、制御部によりＲＯＭに予めインストールされたコンピュータプログラムに従って各部が制御される。この施工管理者用事務所端末２は、サーバ４に記憶された検査対象の基本情報に対する検査データをサーバ４上に作成し、該検査データをサーバ４から施工管理者用携帯端末６に通信ネットワーク５を介してダウンロードし、検査データを施工管理者用携帯端末６からサーバ４に通信ネットワーク５を介してアップロードするものとして機能する。また、サーバ４に記憶された図面情報を加えて検査データをサーバ上４に作成するものとしても機能する。また、検査項目を前記検査データに追加するものとしても機能する。また、検査マニュアルをサーバ４から施工管理者用携帯端末６に通信ネットワーク５を介してダウンロードするものとしても機能する。さらに、検査データに含まれる検査状況や是正事項を表示し、是正完了報告を入力するものとしても機能し、サーバ４に記憶された検査データに基づいて検査チェック表や検査報告書等の帳票を自動作成するものとしても機能する。
【００２１】
ここで、検査対象の基本情報とは、検査対象である住宅の邸名、住所、工事進捗状況、期間、施工管理者名、現場監督名等の情報のことである。また、検査データとは、検査対象に対する工程項目、管理項目、検査項目、検査状況、是正事項等の情報を含むデータ（情報）のことである。
【００２２】
現場監督用事務所端末３は、現場監督の事務所に設置された汎用のパーソナルコンピュータであって、施工管理者用事務所端末２と同様に、制御部やＲＡＭ、ＲＯＭ、ＨＤ、モニタ等の表示部、キーボードやマウス等の入力部等を有しており、制御部によりＲＯＭに予めインストールされたコンピュータプログラムに従って各部が制御される。この現場監督用事務所端末３は、サーバ４に記憶された検査対象の基本情報に対する検査データをサーバ４上に作成し、前記検査データをサーバ４から現場監督用携帯端末７に通信ネットワーク５を介してダウンロードし、前記検査データを現場監督用携帯端末７からサーバ４に通信ネットワーク５を介してアップロードするものとして機能する。また、サーバ４に記憶された図面情報を加えて検査データをサーバ上４に作成するものとしても機能する。また、検査項目を前記検査データに追加するものとしても機能する。また、検査マニュアルをサーバ４から現場監督用携帯端末７に通信ネットワーク５を介してダウンロードするものとしても機能する。さらに、検査データに含まれる検査状況や是正事項を表示し、是正完了報告を入力するものとしても機能し、サーバ４に記憶された検査データに基づいて検査チェック表や検査報告書等の帳票を自動作成するものとしても機能する。
【００２３】
サーバ４は、制御部やＲＡＭ、ＲＯＭ、ＨＤ等を有するサーバであって、制御部によりＲＯＭに予めインストールされたコンピュータプログラムに従って各部が制御される。このサーバ４は、邸名、住所、工事進捗状況、期間、施工管理者名、現場監督名等の検査対象に関する基本情報を予めＨＤに記憶し、施工管理者用事務所端末２又は現場監督用事務所端末３により作成された検査データをＨＤに記憶し、ＨＤに記憶された検査データとアップロードされた検査データを統合してＨＤに記憶するものとして機能するものである。また、サーバ４は、図示しないが、図面情報及び仕様書情報を作成するためのＣＡＤシステムと相互に通信ネットワーク５を介して通信可能に接続されており、ＣＡＤシステムにおいて作成された図面情報及び仕様書情報を受信して前記基本情報と関連付けてＨＤに記憶している。さらに、検査マニュアルをＨＤに記憶している。
【００２４】
施工管理者用携帯端末６は、施工管理者が使用する汎用のＰＤＡ（Personal Digital Assistant）であって、制御部やＲＡＭ、ＲＯＭ、ＨＤやＳＤカード（Secure Digital Card）等の記憶装置、タッチパネル式の液晶表示装置（ＬＣＤ：Liquid Crystal Display）からなる表示・入力部等を有しており、ダウンロードされた検査データを記憶装置に記憶し、検査データを表示し、検査データに基づいて施工管理者による検査結果を入力し、入力された検査結果を記憶装置に記憶された検査データに保存するものとして機能する。また、前記検査結果が不合格である場合に、是正指示を入力し、該是正指示を記憶装置に記憶された検査データに保存するものとしても機能する。また、前記是正指示を入力する際に、主語、述語、指示に対する複数の単語を表示してそれらの単語の中からそれぞれ１つの単語を入力し、入力された主語、述語、指示の単語から是正文言を作成し、作成した是正文言を記憶装置に記憶された検査データに保存するものとしても機能する。また、ダウンロードされた前記検査データに含まれる図面情報を表示し、表示された図面情報に是正位置を入力し、入力された是正位置を記憶された検査データに保存するものとしても機能する。さらに、サーバ４からダウンロードされた検査マニュアルを表示するものとしても機能する。
【００２５】
現場監督用携帯端末７は、現場監督が使用する汎用のＰＤＡであって、施工管理者用携帯端末６と同様に、制御部やＲＡＭ、ＲＯＭ、ＨＤやＳＤカード等の記憶装置、タッチパネル式の液晶表示装置からなる表示・入力部等を有しており、ダウンロードされた検査データを記憶装置に記憶し、検査データを表示し、検査データに基づいて現場監督による検査結果を入力し、入力された検査結果を記憶装置に記憶された検査データに保存するものとして機能する。また、前記検査結果が不合格である場合に、是正指示を入力し、該是正指示を記憶装置に記憶された検査データに保存するものとしても機能する。また、前記是正指示を入力する際に、主語、述語、指示に対する複数の単語を表示してそれらの単語の中からそれぞれ１つの単語を入力し、入力された主語、述語、指示の単語から是正文言を作成し、作成した是正文言を記憶装置に記憶された検査データに保存するものとしても機能する。また、ダウンロードされた前記検査データに含まれる図面情報を表示し、表示された図面情報に是正位置を入力し、入力された是正位置を記憶された検査データに保存するものとしても機能する。さらに、サーバ４からダウンロードされた検査マニュアルを表示するものとしても機能する。
【００２６】
次に、本携帯端末を使用した品質管理システム１を用いて実現される品質管理方法について説明する。図２は、本品質管理方法における主要ステップを示したフローチャートである。
本携帯端末を使用した品質管理方法では、施工管理者又は現場監督は、施工管理者用事務所端末２又は現場監督用事務所端末３によりサーバ４により記憶された検査対象の基本情報及び図面情報に基づいて検査対象に対する検査データをサーバ４上に作成する。そして、施工管理者及び現場監督は、検査データ及び検査マニュアルをサーバ４から施工管理者用携帯端末６又は現場監督用携帯端末７にダウンロードし、施工現場において該検査データに基づいて検査を行い、検査結果を入力して検査データに保存し、該検査結果を保存した検査データをサーバ４にアップロードする。サーバ４は、記憶した検査データとアップロードされた検査データを統合して記憶する。再度検査を行う場合、施工管理者又は現場監督は、サーバ４により統合された検査データをサーバ４から施工管理者用携帯端末６又は現場監督用携帯端末７にダウンロードする。以下、詳細に説明する。
【００２７】
まず、施工管理者又は現場監督は、施工管理者用事務所端末２又は現場監督用事務所端末３によりサーバ４に記憶された検査対象に関する基本情報及び図面情報に基づいて検査対象に対する検査データをサーバ４上に作成する（Ｓ１）。以下、具体的に説明する。
〔検査データ作成手順〕
まず、施工管理者又は現場監督は、図３に示すように、施工管理者用事務所端末２又は現場監督用事務所端末３に表示されたメニュー画面８の「邸別検査データ作成」ボタン９をクリックする。次いで、図４に示すように、表示された邸選択画面１０において、「条件指定」欄１１内の邸名、住所、工事進捗状況、期間等の各フィールドに検査対象の邸名、住所、工事進捗状況、期間等の条件を入力し、「検索」ボタン１２をクリックすると、サーバ４が記憶する邸名、住所、工事進捗状況、期間、施工管理者名、現場監督名等の検査対象に関する基本情報の中で条件に適合する基本情報が下段に表示される。表示された邸名の中から検査対象の「邸名」１３をクリックして選択すると、選択された行が青色で表示される。検査対象が、青色表示された行の「邸名」１３でよければ「確定」ボタン１４をクリックする。そして、図５に示す邸別検査データ作成一覧画面１５が表示され、表示された該邸別検査データ作成一覧画面１５において、「ファイル設定へ」ボタン１６をクリックする。
【００２８】
次いで、図６に示すように、表示された邸別ファイル設定画面１７において、サーバ４が前記検査対象の基本情報と関連付けて記憶した図面情報及び仕様書情報のファイル名が表示され、施工管理者又は現場監督は、該ファイル名を確認して、追加・変更がなければ検査データにそれら図面情報及び仕様書情報を加えるように「確定」ボタン１８をクリックする。また、図面情報及び仕様書情報のファイルを追加したり、表示された図面情報及び仕様書情報をサーバ４が記憶した他の図面情報及び仕様書情報に変更する場合は、「ファイル選択」ボタン１９をクリックして追加・変更するファイルを選択し、追加・変更後、「確定」ボタン１８をクリックする。このように、施工管理者用事務所端末２又は現場監督用事務所端末３は、「確定」ボタン１８をクリックすることにより、図面情報及び仕様書情報を検査データに加えることができる。そして、図７に示す邸別検査データ作成一覧画面２０において検査が一覧表示され、作成する検査名２１をクリックして選択すると、選択された行が青色表示される。作成する検査が青色表示された行の検査名２１の検査でよければ、「検査表作成」ボタン２２をクリックする。
【００２９】
そして、施工管理者又は現場監督は、図８（ａ）に示す検査内容リスト編集画面２３において、検査内容の中で対象外のもののチェックをチェックボックス２４をクリックして外し、「確定」ボタン２５をクリックすると、図８（ｂ）に示すように、更新が終了した旨を表示するサブウィンドー２６が表示され、該サブウィンドー２６の「ＯＫ」ボタン２７をクリックして、検査内容リスト編集画面２３の「戻る」ボタン２８をクリックすると、図９に示す邸別検査データ作成一覧画面１５が再び表示される。施工管理者又は現場監督は、この邸別検査データ作成一覧画面１５において、選択した検査の「準備状況」フィールドに「■作成済」が入力されていることを確認する。ここで、作成した検査データを変更する場合は、「変更へ」ボタン２９をクリックして検査内容リスト編集画面２３に戻り、検査内容を変更する。このようにして必要な検査を繰り返し作成して、検査内容作成完了後、「メニューへ」ボタン３０をクリックすると、メニュー画面８に戻り、検査データ作成が完了する。このようにして、施工管理者用事務所端末２又は現場監督用事務所端末３は、サーバ４に記憶された検査対象の基本情報及び図面情報に基づいて検査対象に対する検査データをサーバ４上に作成し、サーバ４は、作成された検査データをＨＤに記憶する。
【００３０】
次いで、施工管理者又は現場監督は、施主との打合せに基づいて検査対象の検査データに個別の検査項目を追加するか否かを決定する（Ｓ２）。検査項目を追加する場合（Ｓ２：ＹＥＳ）、施工管理者又は現場監督は、施工管理者用事務所端末２又は現場監督用事務所端末３により検査データに検査項目を追加する（Ｓ３）。施工管理者用事務所端末２又は現場監督用事務所端末３は、追加された検査項目をサーバ４に記憶された検査データに保存する。以下、具体的に説明する。
〔検査項目追加手順〕
まず、施工管理者又は現場監督は、図３に示すメニュー画面８において、「お客様情報リスト」ボタン３１をクリックする。次いで、図４に示すように、表示された邸選択画面１０において、「条件指定」欄１１内の各フィールドに邸名、住所、工事進捗状況、期間等の条件を入力し、「検索」ボタン１２をクリックすると、サーバ４が記憶する邸名等の検査対象の基本情報の中で条件に適合する検査対象の基本情報が下段に表示される。表示された邸名の中から検査対象である「邸名」１３をクリックして選択すると、選択された行が青色で表示される。検査対象が青色表示された行の「邸名」１３でよければ「確定」ボタン１４をクリックする。そして、図１０に示すように、お客様情報リスト画面３２が表示され、「追加へ」ボタン３３をクリックすると、図１１に示すお客様リスト結果編集画面３４が表示される。このお客様リスト結果編集画面３４において、「打合せ日」フィールド３５、及び「コメント」フィールド３６にそれぞれ打合せ日、及びコメントを入力し、対象となる検査のチェックボックスをクリックして選択する。コメントを追加する場合は、「追加」ボタン３７をクリックして追加し、「一覧へ戻る」ボタン３８をクリックして、図１２に示すお客様情報リスト画面３２に戻る。このお客様情報リスト画面３２において追加したコメントを確認し、よければ「メニューへ」ボタン３９をクリックすると、メニュー画面８に戻り、検査項目の追加が完了し、施工管理者用事務所端末２又は現場監督用事務所端末３は、追加された検査項目をサーバ４に記憶された検査データに保存する。このようにして、施工管理者用事務所端末２又は現場監督用事務所端末３は、検査項目を検査データに追加することができる。
【００３１】
一方、検査項目を追加しない場合（Ｓ２：ＮＯ）、又はＳ３の後、施工管理者及び現場監督は、施工現場において検査を行う日の検査前に、施工管理者用事務所端末２又は現場監督用事務所端末３によりサーバ４に記憶された検査データ及び検査マニュアルをサーバ４から施工管理者用携帯端末６及び現場監督用携帯端末７にダウンロードする（Ｓ４）。施工管理者用携帯端末６及び現場監督用携帯端末７は、ダウンロードされた検査データ及び検査マニュアルを記憶装置に記憶する。このように、施工管理者及び現場監督は、作成した検査データをサーバ４から施工管理者用携帯端末６及び現場監督用携帯端末７にダウンロードすることにより、お互いに共有することができる。なお、サーバ４から施工管理者用携帯端末６及び現場監督用携帯端末７にそれぞれ検査データをダウンロードする際に、ダウンロードする検査データを検査対象により選択するようにしてもよい。また、施工管理者用携帯端末６及び現場監督用携帯端末７により検査マニュアルを参照しない場合は、検査マニュアルをダウンロードしなくてもよい。
【００３２】
施工管理者用携帯端末６及び現場監督用携帯端末７に検査データをダウンロードした施工管理者及び現場監督は、施工現場においてそれぞれ検査を行い、施工管理者用携帯端末６及び現場監督用携帯端末７により検査結果を入力して、検査データに検査結果を保存する（Ｓ５）。以下、具体的に説明する。
〔邸名・検査選択〕
まず、施工管理者及び現場監督は、図１３に示すように、施工管理者用携帯端末６及び現場監督用携帯端末７により表示された検査スタート画面４０において、「邸名選択」ボタン４１をスタイラスペンや指等でタップする。タップ後、図１４に示すように、邸選択画面４２が表示され、この邸選択画面４２には、ダウンロードした検査データに含まれる邸名の一覧が表示されており、施工管理者及び現場監督は、検査対象である邸名４３をタップする。邸名選択後、検査スタート画面４０に戻るが、該検査スタート画面４０には選択した邸名４３が反映されている。次いで、検査スタート画面４０において、「検査選択」ボタン４４をタップすると、図１５に示す検査選択画面４５が表示される。この検査選択画面４５には、ダウンロードした検査データに含まれる、選択した邸名４３に対応する検査の一覧が表示されており、施工管理者及び現場監督は、これから行う検査名４６をタップして選択する。検査選択後、図１６に示すように、検査方法選択画面４７が表示されるが、該検査方法選択画面４７には、選択した邸名４３及び検査名４６が反映されている。なお、図１４に示す邸選択画面４２の「出荷日」フィールドは、外装１便の出荷日を表示しており、また、「ＤＬ日」は、邸名４３の検査データをダウンロードした日を表示している。また、検査選択画面４５の「監督」・「施管」フィールドには、検査名に対するそれぞれの検査状況が表示されており、例えば、「監督」・「施管」フィールドが空欄の場合は、未検査、「□」と表示されている場合は、検査中、また、「■」と表示されている場合は、検査完了を意味する。これにより、施工管理者と現場監督は、お互いの検査状況を認識できる。
【００３３】
次いで、施工管理者及び現場監督は、検査の立会者がいる場合、図１６に示す検査方法選択画面４７において、検査の立会者を入力できる。すなわち、施工管理者及び現場監督は、検査方法選択画面４７において、「立会者入力」ボタン４８をタップすると、図１７に示すように、立会者入力画面４９が表示され、該立会者入力画面４９の「業者名」フィールドのプルダウンメニュー５０に表示されるリストから業者名を選択して入力し、「登録」ボタン５１をタップして検査データに保存する。このように、検査の立会者を入力して検査データに検査の立会者を保存でき、検査の立会者の記録を残すことができる。
【００３４】
また、選択した邸名４３及び検査名４６に対するお知らせが検査データに含まれている場合、現場監督が現場監督用携帯端末７に表示された検査方法選択画面４７において、「お知らせ」ボタン５２をタップすると、図１８に示すように、お知らせ表示画面５３において、施工管理者からの特別採用申請や是正完了報告が表示される。これにより、現場監督は、施工管理者からの特別採用申請や是正完了報告を認識できる。また、施工管理者が施工管理者用携帯端末６に表示された検査方法選択画面４７において、「お知らせ」ボタン５２をタップすると、お知らせ表示画面５３において、現場監督からの是正指示が表示される。これにより、施工管理者は、現場監督からの是正指示を認識できる。
【００３５】
次いで、施工管理者及び現場監督は、図１６に示す検査方法選択画面４７において、これから行う検査の検査結果の入力方法を選択する。ここで、施工管理者用携帯端末６及び現場監督用携帯端末７への検査結果の入力方法としては、チェック式検査、チェック表一覧、診断式入力、及び直接入力の４つの方法がある。以下、それぞれの方法を具体的に説明する。
〔チェック式検査〕
このチェック式検査による検査結果の入力は、竣工検査時以外において、チェック項目を１つずつ絞り込んで検査を行うものであり、主に経験の浅い施工管理者が用いる。
まず、施工管理者及び現場監督は、図１６に示すように、施工管理者用携帯端末６及び現場監督用携帯端末７により表示された検査方法選択画面４７において、「チェック式検査」ボタン５４をタップする。タップ後、図１９に示すように、工事工程画面５５が表示される。また、Ｓ３において、検査データに検査項目を追加した場合、図示するように、工事工程に「お客様要望」の項目が表示され、ここに追加した検査項目が反映され、後述するように検査結果を入力できる。
【００３６】
次いで、施工管理者及び現場監督が工事工程画面５５に表示された工事工程の一覧から検査する工事工程を選択しタップすると、図２０に示すように、管理項目画面５６に管理項目が一覧で表示され、該一覧から検査する管理項目を選択、タップする。管理項目をタップすると、図２１に示すように、検査内容画面５７が表示され、検査内容が一覧で表示され、該一覧から検査内容を選択、タップして検査内容の絞込みを行う。検査内容をタップすると、図２２に示すように、合否画面５８が表示される。施工管理者及び現場監督は、この合否画面５８において、それぞれの「評価」フィールドのチェックボックスをタップして検査内容の合否判定を入力する。すなわち、施工管理者は、施工管理者用携帯端末６に表示された「評価」フィールドの「施管」の「合格」、「不合格」、「対象外」、又は「確認不可」のいずれかのチェックボックスをタップすることにより検査内容の合否判定を入力し、一方、現場監督は、現場監督用携帯端末７に表示された「評価」フィールドの「監督」の「合格」、「不合格」、「対象外」、又は「確認不可」のいずれかのチェックボックスをタップすることにより検査内容の合否判定を入力する。このとき、施工管理者用携帯端末６の「監督」のチェックボックスには入力できないようになっており、また、現場監督用携帯端末７の「施管」のチェックボックスには入力できないようになっている。また、既に検査データに合否判定の情報が含まれている場合は、それぞれのチェックボックスに合否判定が表示されており、施工管理者と現場監督は、それぞれお互いの検査状況を確認できる。また、この合否画面５８において、「マニュアル」ボタン５９をタップすると、記憶装置に記憶された検査内容に関する検査マニュアルを表示でき、経験の浅い施工管理者や現場監督であっても検査マニュアルを参照して検査を行うことができ、経験不足を補うことができる。また、「コメント」ボタン６０をタップすると、図２３に示すように、コメント入力画面６１が表示され、該コメント入力画面６１において、合否にかかわらず、検査内容に関するコメントを入力できるため、施工管理者と現場監督がお互いのコメントを参照でき、コミュニケーション不足から発生する齟齬を防ぐことができる。合否判定入力後、「登録」ボタン６２をタップすると、施工管理者用携帯端末６及び現場監督用携帯端末７は、合否判定やコメントを検査結果として検査データに保存する。
【００３７】
合否画面５８において、「不合格」にチェックして「登録」ボタン６２をタップした場合、施工管理者及び現場監督は、施工管理者用携帯端末６及び現場監督用携帯端末７に是正事項である是正指示と是正位置を入力できる。以下、具体的に説明する。
〔是正指示入力〕
合否画面５８において、「不合格」にチェックして「登録」ボタン６２をタップすると、図２４に示すように、不合格内容作成画面６３が表示される。施工管理者及び現場監督は、この不合格内容作成画面６３において、階、部屋、不合格事項、業者名、確認報告、期限、及び図面を選択又は入力するが、「不合格事項入力」ボタン６４をタップすると、図２５に示すように、不合格事項作成画面６５が表示される。この不合格事項作成画面６５において是正指示を入力するが、是正指示の入力方法には２つの方法がある。１つ目の方法は、「主語１」、「主語２」、「述語」、「指示」のプルダウンメニューに表示された複数の単語の中からそれぞれ１つの単語を選択し入力する方法であり、是正文言が決定したら「反映」ボタン６６をタップすると下段に表示され、確認後、「確定」ボタン６７をタップすると、該是正文言がそれぞれの記憶装置に記憶された検査データに保存される。２つ目の方法は、「自由入力」ボタン６８をタップし、図２６に示す不合格事項入力画面６９において是正指示を入力する方法であり、これも是正指示が決定したら不合格事項入力画面６９の「確定」ボタン７０をタップする。タップ後、図２５に示す不合格事項作成画面６５の「確定」ボタン６７をタップすると、該是正指示がそれぞれの記憶装置に記憶された検査データに保存される。タップ後、図２７に示すように、表示された不合格内容作成画面６３に階、部屋、不合格事項、業者名、確認報告、期限、及び図面を選択又は入力して、「登録」ボタン７１をタップすると、図２８に示すように、選択した図面７２が表示され、ここで図面７２上に是正位置を入力する。
【００３８】
〔是正位置入力〕
施工管理者及び現場監督は、図面７２を拡大するために、「ズーム」ボタン７３をタップし、「実寸表示」ボタン７４をタップする。次いで、図２９に示すように、「位置指示」ボタン７５をタップして図面７２上に始点から線を引くようにして是正位置７６を入力する。是正位置７６の入力後、「ＯＫ」ボタン７７をタップすると、図２２に示す合否画面５８に戻り、「登録」ボタン６２をタップすると、施工管理者用携帯端末６及び現場監督用携帯端末７は、合否判定やコメントとともに是正指示及び是正位置を検査結果として検査データに保存する。なお、是正位置７６の入力方法は、上記した方法に限られず、例えば、図３０に示すように、「手書き」ボタン７８をタップして自由に図面７２上に入力することもできる。
【００３９】
次に、チェック表一覧による検査結果の入力方法について説明する。
〔チェック表一覧〕
このチェック表一覧による検査結果の入力は、竣工検査時以外において、従来使用していたチェック表と同様に、検査項目を１つずつ順に検査するものであり、主にベテランの現場監督が重点工程検査において用いる。
まず、施工管理者及び現場監督は、図１６に示すように、施工管理者用携帯端末６及び現場監督用携帯端末７により表示された検査方法選択画面４７において、「チェック表一覧」ボタン７９をタップすると、図３１に示すように、チェック表一覧画面８０が表示される。このチェック表一覧画面８０には、工事工程、管理項目、検査内容、現場監督及び施工管理者による検査結果が一覧表示されており、検査内容をタップすると、チェック式検査と同様に、図２２に示すように、合否画面５８が表示され、該合否画面５８において合否判定やコメントを入力し、合否判定やコメントを検査結果として検査データに保存する。また、Ｓ３において、検査データに検査項目を追加した場合、図示するように、工事工程に「お客様要望」の項目が表示され、ここに追加した検査項目が反映され、検査結果を入力できる。以降、チェック式検査と同様の手順により検査結果を検査データに保存する。
【００４０】
また、このチェック表一覧による検査結果の入力においては、フィルタ機能を有しており、チェック表一覧画面８０において、フィルタ機能チェックボックス８１をタップしてチェックを入れて、工事工程、管理項目等のタイトル部分をタップすると、プルダウンメニューの項目の条件で絞り込むことができる。すなわち、図３２に示すように、チェック表一覧画面８０において、フィルタ機能チェックボックス８１にチェックを入れて工事工程８２をタップすると、プルダウンメニュー８３が表示される。次いで、図３３に示すように、プルダウンメニュー８３をもう一度タップすると工事工程の項目一覧が表示され、項目を選択し、タップすると、図３４に示すように、選択した工事工程の内容のみが表示される。
【００４１】
次に、診断式入力による検査結果の入力方法について説明する。
〔診断式入力〕
この診断式入力による検査結果の入力は、竣工検査時の施工管理者による自主検査、及び現場監督による重点工程検査において用いる。
まず、施工管理者及び現場監督は、図１６に示すように、施工管理者用携帯端末６及び現場監督用携帯端末７により表示された検査方法選択画面４７において、「診断式入力」ボタン８４をタップすると、図３５に示すように、対象検査選択画面８５が表示される。表示された対象検査選択画面８５において、対象となる検査を選択、タップすると、図３６に示すように、工事工程画面８６が表示され、工事工程が一覧で表示される。該一覧から工事工程を選択、タップすると、図３７に示すように、管理項目画面８７が表示され、管理項目が一覧表示される。該一覧から管理項目を選択、タップすると、図３８に示すように、検査内容画面８８が表示され、検査内容が一覧表示される。この一覧から検査内容を選択、タップすると、図２４に示すように、不合格内容作成画面６３が表示される。以降、チェック式検査と同様の手順により検査結果を検査データに保存する。
【００４２】
次に、直接入力による検査結果の入力方法について説明する。
〔直接入力〕
この直接入力による検査結果の入力は、通常検査以外の不具合箇所を発見した場合に、直接図面に不具合箇所を入力する。
まず、施工管理者及び現場監督は、図１６に示すように、施工管理者用携帯端末６及び現場監督用携帯端末７により表示された検査方法選択画面４７において、「直接」ボタン８９をタップすると、検査データに含まれる図面の一覧が表示され、該一覧から是正位置を入力する図面を選択、タップすると、図２８に示すように、図面７２が表示される。以降、是正位置入力と同様の手順により是正位置を入力し、検査結果を検査データに保存する。
【００４３】
施工管理者及び現場監督は、以上の４つの方法のいずれかにより、施工管理者用携帯端末６及び現場監督用携帯端末７に検査結果を入力し、該検査結果を検査データに保存するが、施工管理者用携帯端末６及び現場監督用携帯端末７において不合格事項の状況を閲覧・入力することができる。
〔不合格事項の閲覧・入力〕
まず、施工管理者及び現場監督は、図１６に示すように、施工管理者用携帯端末６及び現場監督用携帯端末７により表示された検査方法選択画面４７において、「不合格事項入力一覧」ボタン９０をタップすると、図３９に示すように、不合格事項一覧画面９１が表示される。この不合格事項一覧画面９１にはＮｏ、階、部屋、不合格事項、業者名、期限、及び状況が一覧表示されている。施工管理者が施工管理者用携帯端末６において、不合格事項一覧画面９１から１項目を選択、タップすると、図４０に示すように、是正報告画面９２が表示され、施工管理者は、この是正報告画面９２において自主検査の手直し完了確認、重点工程検査の手直し完了報告、及び自主・重点工程検査の特別採用申請を入力する。一方、現場監督が現場監督用携帯端末７において、不合格事項一覧画面９１から１項目を選択、タップすると、図４１に示すように、是正承認画面９３が表示され、現場監督は、この是正承認画面９３において重点工程検査の手直しや特別採用の承認を入力する。また、この〔不合格事項の閲覧・入力〕も、〔チェック表一覧〕と同様に、フィルタ機能を有しており、不合格事項、業者名等のタイトル部分をタップすると、プルダウンメニューの項目の条件で絞り込むことができる。
【００４４】
また、現場監督は、以上のようにして、検査を繰り返して検査が完了した場合、図１６に示すように、現場監督用携帯端末７により表示された検査方法選択画面４７において、「検査完了入力」ボタン９４をタップする。次いで、図４２に示すように、表示された検査完了入力画面９５において、検査完了チェックボックス９６をタップして検査完了を入力する。なお、施工管理者は、全ての検査内容の入力を行うと検査完了となる。
【００４５】
Ｓ５の後、その日の検査が終了した施工管理者及び現場監督は、施工管理者用携帯端末６及び現場監督用携帯端末７により表示された検査方法選択画面４７において、「終了」ボタン９７をタップし、事務所に戻ってから施工管理者用事務所端末２及び現場監督用事務所端末３により検査結果を保存した検査データを施工管理者用携帯端末６及び現場監督用携帯端末７からサーバ４にアップロードする（Ｓ６）。サーバ４は、ＨＤに記憶した検査データと、施工管理者用携帯端末６及び現場監督用携帯端末７からアップロードされた検査データを統合してＨＤに記憶する（Ｓ７）。この検査データの統合は、サーバ４がＨＤに記憶した検査データに、アップロードされた検査データに含まれる新規に保存された検査結果を上書きして記憶することにより行うが、施工管理者が施工管理者用携帯端末６により入力して検査データに新規に保存された検査結果と、現場監督が現場監督用携帯端末７により入力して検査データに新規に保存された検査結果は、それぞれ重ならず、サーバ４が統合して記憶する検査データは、施工管理者と現場監督の最新の検査結果を含んでいる。なお、施工管理者用携帯端末６及び現場監督用携帯端末７からサーバ４に検査データをアップロードする際に、アップロードする検査データを検査対象により選択するようにしてもよい。このサーバ４が記憶する検査データを蓄積することにより、全社的な品質検査に関するデータを蓄積できる。
【００４６】
そして、施工管理者及び現場監督は、検査対象の検査が全て終了していない場合（Ｓ８：ＮＯ）、施工管理者用事務所端末２及び現場監督用事務所端末３により統合された検査データをサーバ４から施工管理者用携帯端末６及び現場監督用携帯端末７にダウンロードし（Ｓ９）、検査が終了するまでＳ５以降のステップを行う。なお、検査は、施工管理者のみが行う日もあれば、現場監督のみが行う日もあるので、その場合はどちらか一方のみが検査データを携帯端末にダウンロードして、検査結果を入力し、検査結果を保存した検査データをサーバ４にアップロードする。
【００４７】
以上のステップにより、本携帯端末を使用した品質管理方法では品質管理を行うが、施工管理者用事務所端末２及び現場監督用事務所端末３は、サーバ４が記憶する検査データに含まれる検査状況や是正事項を表示したり、是正完了報告を入力する機能を有しており、施工管理者及び現場監督は、適宜施工管理者用事務所端末２及び現場監督用事務所端末３により前記検査状況や是正事項を表示して確認できるとともに、是正完了報告を入力できる。また、施工管理者用事務所端末２及び現場監督用事務所端末３は、検査データに基づいて検査チェック表や検査報告書等の帳票を自動作成する機能を有するとともに、図示しないプリンタと接続されており、施工管理者及び現場監督は、適宜施工管理者用事務所端末２及び現場監督用事務所端末３により自動作成される前記検査チェック表や検査報告書等の帳票をプリンタに出力して記録用紙に印刷でき、さらに、是正位置を入力した図面をプリンタに出力して印刷できる。
【００４８】
以上の説明より明らかなように、本携帯端末を使用した品質管理システム１によれば、施行現場において施工管理者と現場監督とがそれぞれお互いの品質管理に関する検査の結果を施工管理者用事務所端末２及び現場監督用事務所端末３により入力できるとともに、お互いの検査結果を施工管理者用事務所端末２及び現場監督用事務所端末３により確認できる。また施工管理者及び現場監督は、施行現場において検査対象の図面を確認して、その場で是正指示を入力できる。また、施工管理者及び現場監督は、是正文言を簡単に作成できる。また、施工管理者及び現場監督は、検査データに標準として含まれる検査項目に加えて、検査対象毎に必要な検査項目を追加できる。また、経験の浅い施工管理者や現場監督であっても、施工管理者用携帯端末及び現場監督用携帯端末に表示された検査マニュアルを参照して検査を行うことができ、経験不足を補うことができる。また、検査状況や是正事項を表示して確認できるとともに、是正完了報告を入力できる。また、検査チェック表や検査報告書等の帳票を検査データを基に自動作成したり、自動作成した帳票や是正位置が入力された図面をプリンタから印刷できる。さらに、本携帯端末を使用した品質管理システム１を利用することにより、全社的な品質管理に関するデータを蓄積できるため、データの集計・分析が容易となり、分析結果を基に品質管理において適正な改善活動を行うことができる。したがって、本携帯端末を使用した品質管理システム１により、継続的改善活動を業務に展開でき、より一層の品質向上が可能となる。
【００４９】
なお、本発明は上記実施形態に限定されるものではなく、本発明の要旨の範囲内で種々の変形実施が可能である。例えば、本実施の形態では、施工管理者用携帯端末６及び現場監督用携帯端末７は、ＰＤＡとしているが、上記の機能を果たすことができるものであれば、小型のＰＣ、携帯電話等であってもよい。
【産業上の利用可能性】
【００５０】
本発明は、施行現場において現場監督と施工管理者とがお互いの検査内容する場合に利用可能である。
【図面の簡単な説明】
【００５１】
【図１】本発明の実施の形態に係る携帯端末を使用した品質管理システムの構成例を示すブロック図である。
【図２】携帯端末を使用した品質管理システムを用いた品質管理方法の主要ステップを示すフローチャートである。
【図３】施工管理者用事務所端末又は現場監督用事務所端末に表示されたメニュー画面を示す図である。
【図４】施工管理者用事務所端末又は現場監督用事務所端末に表示された邸選択画面を示す図である。
【図５】施工管理者用事務所端末又は現場監督用事務所端末に表示された邸別検査データ作成画面を示す図である。
【図６】施工管理者用事務所端末又は現場監督用事務所端末に表示された邸別ファイル設定画面を示す図である。
【図７】施工管理者用事務所端末又は現場監督用事務所端末に表示された邸別検査データ作成一覧画面を示す図である。
【図８】施工管理者用事務所端末又は現場監督用事務所端末に表示された検査内容リスト編集画面を示す図である。
【図９】施工管理者用事務所端末又は現場監督用事務所端末に表示された邸別検査データ作成一覧画面を示す図である。
【図１０】施工管理者用事務所端末又は現場監督用事務所端末に表示されたお客様情報リスト画面を示す図である。
【図１１】施工管理者用事務所端末又は現場監督用事務所端末に表示されたお客様情報リスト結果編集画面を示す図である。
【図１２】施工管理者用事務所端末又は現場監督用事務所端末に表示されたお客様情報リスト画面を示す図である。
【図１３】施工管理者用携帯端末又は現場監督用携帯端末に表示された検査スタート画面を示す図である。
【図１４】施工管理者用携帯端末及び現場監督用携帯端末に表示された邸選択画面を示す図である。
【図１５】施工管理者用携帯端末及び現場監督用携帯端末に表示された検査選択画面を示す図である。
【図１６】施工管理者用携帯端末及び現場監督用携帯端末に表示された検査方法選択画面を示す図である。
【図１７】施工管理者用携帯端末及び現場監督用携帯端末に表示された立会者入力画面を示す図である。
【図１８】施工管理者用携帯端末及び現場監督用携帯端末に表示されたお知らせ表示画面を示す図である。
【図１９】施工管理者用携帯端末及び現場監督用携帯端末に表示された工事工程画面を示す図である。
【図２０】施工管理者用携帯端末及び現場監督用携帯端末に表示された管理項目画面を示す図である。
【図２１】施工管理者用携帯端末及び現場監督用携帯端末に表示された検査内容画面を示す図である。
【図２２】施工管理者用携帯端末及び現場監督用携帯端末に表示された合否画面を示す図である。
【図２３】施工管理者用携帯端末及び現場監督用携帯端末に表示されたコメント入力画面を示す図である。
【図２４】施工管理者用携帯端末及び現場監督用携帯端末に表示された不合格内容作成画面を示す図である。
【図２５】施工管理者用携帯端末及び現場監督用携帯端末に表示された不合格事項作成画面を示す図である。
【図２６】施工管理者用携帯端末及び現場監督用携帯端末に表示された不合格事項入力画面を示す図である。
【図２７】施工管理者用携帯端末及び現場監督用携帯端末に表示された不合格内容作成画面を示す図である。
【図２８】施工管理者用携帯端末及び現場監督用携帯端末に表示された図面を示す図である。
【図２９】施工管理者用携帯端末及び現場監督用携帯端末に表示された図面を示す図である。
【図３０】施工管理者用携帯端末及び現場監督用携帯端末に表示された図面を示す図である。
【図３１】施工管理者用携帯端末及び現場監督用携帯端末に表示されたチェック表一覧画面を示す図である。
【図３２】施工管理者用携帯端末及び現場監督用携帯端末に表示されたチェック表一覧画面を示す図である。
【図３３】施工管理者用携帯端末及び現場監督用携帯端末に表示されたチェック表一覧画面を示す図である。
【図３４】施工管理者用携帯端末及び現場監督用携帯端末に表示されたチェック表一覧画面を示す図である。
【図３５】施工管理者用携帯端末及び現場監督用携帯端末に表示された対象検査選択画面を示す図である。
【図３６】施工管理者用携帯端末及び現場監督用携帯端末に表示された工事工程画面を示す図である。
【図３７】施工管理者用携帯端末及び現場監督用携帯端末に表示された管理項目画面を示す図である。
【図３８】施工管理者用携帯端末及び現場監督用携帯端末に表示された検査内容画面を示す図である。
【図３９】施工管理者用携帯端末及び現場監督用携帯端末に表示されたた不合格事項一覧画面を示す図である。
【図４０】施工管理者用携帯端末に表示された是正報告画面を示す図である。
【図４１】現場監督用携帯端末に表示された是正承認画面を示す図である。
【図４２】現場監督用携帯端末に表示された検査完了入力画面を示す図である。
【符号の説明】
【００５２】
１    携帯端末を使用した品質管理システム
２    施工管理者用事務所端末
３    現場監督用事務所端末
４    サーバ
５    通信ネットワーク
６    施工管理者用携帯端末
７    現場監督用携帯端末
【図１】
2007087067.tif 000003
【図２】
2007087067.tif 000004
【図３】
2007087067.tif 000005
【図４】
2007087067.tif 000006
【図５】
2007087067.tif 000007
【図６】
2007087067.tif 000008
【図７】
2007087067.tif 000009
【図８】
2007087067.tif 000010
【図９】
2007087067.tif 000011
【図１０】
2007087067.tif 000012
【図１１】
2007087067.tif 000013
【図１２】
2007087067.tif 000014
【図１３】
2007087067.tif 000015
【図１４】
2007087067.tif 000016
【図１５】
2007087067.tif 000017
【図１６】
2007087067.tif 000018
【図１７】
2007087067.tif 000019
【図１８】
2007087067.tif 000020
【図１９】
2007087067.tif 000021
【図２０】
2007087067.tif 000022
【図２１】
2007087067.tif 000023
【図２２】
2007087067.tif 000024
【図２３】
2007087067.tif 000025
【図２４】
2007087067.tif 000026
【図２５】
2007087067.tif 000027
【図２６】
2007087067.tif 000028
【図２７】
2007087067.tif 000029
【図２８】
2007087067.tif 000030
【図２９】
2007087067.tif 000031
【図３０】
2007087067.tif 000032
【図３１】
2007087067.tif 000033
【図３２】
2007087067.tif 000034
【図３３】
2007087067.tif 000035
【図３４】
2007087067.tif 000036
【図３５】
2007087067.tif 000037
【図３６】
2007087067.tif 000038
【図３７】
2007087067.tif 000039
【図３８】
2007087067.tif 000040
【図３９】
2007087067.tif 000041
【図４０】
2007087067.tif 000042
【図４１】
2007087067.tif 000043
【図４２】
2007087067.tif 000044